【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
光偏向器により偏向される光束を被走査面近傍に集光させる走査結像光学系に用いられる光走査用レンズであって、プラスチック成形により形成され、
光束が通過する上記光走査用レンズ領域内において、上記光走査用レンズ内部に存在する屈折率の２次元の分布を、光軸に平行な方向をｙ方向、副走査方向をｘ方向として、絶対屈折率ｎ(ｘ，ｙ)とし、上記光走査用レンズの肉厚をｄ(ｘ)とするとき、光軸と副走査方向に平行なｘｙ断面における上記２次元の絶対屈折率ｎ(ｘ、ｙ)の値を上記肉厚ｄ(ｘ)にわたる積分により光軸方向に平均化し、ｘ軸方向に対する１次元の相対屈折率として表現した値である屈折率分布をΔｎ(x)とするとき、Δｎ(x)が極大値を有することを特徴とする光走査用レンズ。
【請求項２】
光偏向器により偏向される光束を被走査面近傍に集光させる走査結像光学系に用いられる光走査用レンズであって、プラスチック成形により形成され、
光束が通過する上記光走査用レンズ領域内において、上記光走査用レンズ内部に存在する屈折率の２次元の分布を、光軸に平行な方向をｙ方向、副走査方向をｘ方向として、絶対屈折率ｎ(ｘ，ｙ)とし、上記光走査用レンズの肉厚をｄ(ｘ)とするとき、光軸と副走査方向に平行なｘｙ断面における上記２次元の絶対屈折率ｎ(ｘ、ｙ)の値を上記肉厚ｄ(ｘ)にわたる積分により光軸方向に平均化し、ｘ軸方向に対する１次元の相対屈折率として表現した値である屈折率分布をΔｎ(x)とするとき、上記Δｎ(x)が極大値と極小値とを有することを特徴とする光走査用レンズ。
【請求項３】
光偏向器により偏向される光束を被走査面近傍に集光させる走査結像光学系に用いられる光走査用レンズであって、プラスチック成形により形成され、
光束が通過する上記光走査用レンズ領域内において、上記光走査用レンズ内部に存在する屈折率の２次元の分布を、光軸に平行な方向をｙ方向、副走査方向をｘ方向として、絶対屈折率ｎ(ｘ，ｙ)とし、上記光走査用レンズの肉厚をｄ(ｘ)とするとき、光軸と副走査方向に平行なｘｙ断面における上記２次元の絶対屈折率ｎ(ｘ、ｙ)の値を上記肉厚ｄ(ｘ)にわたる積分により光軸方向に平均化し、ｘ軸方向に対する１次元の相対屈折率として表現した値である屈折率分布をΔｎ(x)とするとき、  
上記光走査用レンズ領域内におけるΔｎ(x)の極大値：LMAX[Δｎ(x)]、Δｎ(x)の最小値：min[Δｎ(x)]が、条件：
(１)        0.1×10-5＜LMAX[Δｎ(x)]-min[Δｎ(x)]＜4×10-5
を満たす領域を有することを特徴とする光走査用レンズ。
【請求項４】
光偏向器により偏向される光束を被走査面近傍に集光させる走査結像光学系に用いられる光走査用レンズであって、プラスチック成形により形成され、
光束が通過する上記光走査用レンズ領域内において、上記光走査用レンズ内部に存在する屈折率の２次元の分布を、光軸に平行な方向をｙ方向、副走査方向をｘ方向として、絶対屈折率ｎ(ｘ，ｙ)とし、上記光走査用レンズの肉厚をｄ(ｘ)とするとき、光軸と副走査方向に平行なｘｙ断面における上記２次元の絶対屈折率ｎ(ｘ、ｙ)の値を上記肉厚ｄ(ｘ)にわたる積分により光軸方向に平均化し、ｘ軸方向に対する１次元の相対屈折率として表現した値である屈折率分布をΔｎ(x)とするとき、該Δｎ(x)の極大値：LMAX[Δｎ(x)]、Δｎ(x)の最大値：max[Δｎ(x)]、Δｎ(x)の最小値：min[Δｎ(x)]が条件：
(２)        １≦{max[Δｎ(x)]-min[Δｎ(x)]}
/{LMAX[Δｎ(x)]-min[Δｎ(x)]}＜15
を満たす領域を有することを特徴とする光走査用レンズ。
【請求項５】
光偏向器により偏向される光束を被走査面近傍に集光させる走査結像光学系に用いられる光走査用レンズであって、プラスチック成形により形成され、
光束が通過する上記光走査用レンズ領域内の、主走査方向中心付近における１副走査断面内において、上記光走査用レンズ内部に存在する屈折率の２次元の分布を、光軸に平行な方向をｙ方向、副走査方向をｘ方向として、絶対屈折率ｎ(ｘ，ｙ)とし、上記光走査用レンズの肉厚をｄ(ｘ)とするとき、光軸と副走査方向に平行なｘｙ断面における上記２次元の絶対屈折率ｎ(ｘ、ｙ)の値を上記肉厚ｄ(ｘ)にわたる積分により光軸方向に平均化し、ｘ軸方向に対する１次元の相対屈折率として表現した値である屈折率分布をΔｎ(x)とするとき、該Δｎ(x)が極大値を有することを特徴とする光走査用レンズ。
【請求項６】
光偏向器により偏向される光束を被走査面近傍に集光させる走査結像光学系に用いられる光走査用レンズであって、プラスチック成形により形成され、
光束が通過する上記光走査用レンズ領域内の、主走査方向中心付近における１副走査断面内において、上記光走査用レンズ内部に存在する屈折率の２次元の分布を、光軸に平行な方向をｙ方向、副走査方向をｘ方向として、絶対屈折率ｎ(ｘ，ｙ)とし、上記光走査用レンズの肉厚をｄ(ｘ)とするとき、光軸と副走査方向に平行なｘｙ断面における上記２次元の絶対屈折率ｎ(ｘ、ｙ)の値を上記肉厚ｄ(ｘ)にわたる積分により光軸方向に平均化し、ｘ軸方向に対する１次元の相対屈折率として表現した値である屈折率分布をΔｎ(x)とするとき、該Δｎ(x)が極大値と極小値とを有することを特徴とする光走査用レンズ。
【請求項７】
光偏向器により偏向される光束を被走査面近傍に集光させる走査結像光学系に用いられる光走査用レンズであって、プラスチック成形により形成され、
光束が通過する上記光走査用レンズ領域内の、主走査方向中心付近における１副走査断面内において、上記光走査用レンズ内部に存在する屈折率の２次元の分布を、光軸に平行な方向をｙ方向、副走査方向をｘ方向として、絶対屈折率ｎ(ｘ，ｙ)とし、上記光走査用レンズの肉厚をｄ(ｘ)とするとき、光軸と副走査方向に平行なｘｙ断面における上記２次元の絶対屈折率ｎ(ｘ、ｙ)の値を上記肉厚ｄ(ｘ)にわたる積分により光軸方向に平均化し、ｘ軸方向に対する１次元の相対屈折率として表現した値である屈折率分布をΔｎ(x)とするとき、該Δｎ(x)の極大値：LMAX[Δｎ(x)]、Δｎ(x)の最小値：min[Δｎ(x)]が、条件：
(１)        0.1×10-5＜LMAX[Δｎ(x)]-min[Δｎ(x)]＜4×10-5
を満たすことを特徴とする光走査用レンズ。
【請求項８】
光偏向器により偏向される光束を被走査面近傍に集光させる走査結像光学系に用いられる光走査用レンズであって、プラスチック成形により形成され、
光束が通過する上記光走査用レンズ領域内の、主走査方向中心付近における１副走査断面内において、上記光走査用レンズ内部に存在する屈折率の２次元の分布を、光軸に平行な方向をｙ方向、副走査方向をｘ方向として、絶対屈折率ｎ(ｘ，ｙ)とし、上記光走査用レンズの肉厚をｄ(ｘ)とするとき、光軸と副走査方向に平行なｘｙ断面における上記２次元の絶対屈折率ｎ(ｘ、ｙ)の値を上記肉厚ｄ(ｘ)にわたる積分により光軸方向に平均化し、ｘ軸方向に対する１次元の相対屈折率として表現した値である屈折率分布をΔｎ(x)とするとき、
レンズ領域内の、主走査方向中心付近における１副走査断面においてレンズ内部に存在する屈折率分布をΔｎ(x)とするとき、該Δｎ(x)の極大値：LMAX[Δｎ(x)]、Δｎ(x)の最大値：max[Δｎ(x)]、Δｎ(x)の最小値：min[Δｎ(x)]が条件：
(２)        １≦{max[Δｎ(x)]-min[Δｎ(x)]}
/{LMAX[Δｎ(x)]-min[Δｎ(x)]}＜15
を満たすことを特徴とする光走査用レンズ。
【請求項９】
光偏向器により偏向される光束を被走査面近傍に集光させる走査結像光学系に用いられる光走査用レンズであって、プラスチック成形により形成され、
光束が通過する上記光走査用レンズ領域内の、主走査方向中心付近における１副走査断面内において、上記光走査用レンズ内部に存在する屈折率の２次元の分布を、光軸に平行な方向をｙ方向、副走査方向をｘ方向として、絶対屈折率ｎ(ｘ，ｙ)とし、上記光走査用レンズの肉厚をｄ(ｘ)とするとき、光軸と副走査方向に平行なｘｙ断面における上記２次元の絶対屈折率ｎ(ｘ、ｙ)の値を上記肉厚ｄ(ｘ)にわたる積分により光軸方向に平均化し、ｘ軸方向に対する１次元の相対屈折率として表現した値である屈折率分布をΔｎ(x)とするとき、該Δｎ(x)の極大値：LMAX[Δｎ(x)]、Δｎ(x)の最大値：max[Δｎ(x)]、Δｎ(x)の最小値：min[Δｎ(x)]が条件：
(１)        0.1×10-5＜LMAX[Δｎ(x)]-min[Δｎ(x)]＜4×10-5
(２)        １≦{max[Δｎ(x)]-min[Δｎ(x)]}
/{LMAX[Δｎ(x)]-min[Δｎ(x)]}＜15
を満たすことを特徴とする光走査用レンズ。
【請求項１０】
光源側からの光束を偏向反射面を持つ光偏向器により等角速度的に偏向させ、偏向光束を走査結像光学系により被走査面上に光スポットとして集光して上記被走査面の等速的な光走査を行う光走査装置において、
走査結像光学系の少なくとも一部として、請求項１または２または３または４記載の光走査用レンズを搭載したことを特徴とする光走査装置。
【請求項１１】
光源側からの光束を偏向反射面を持つ光偏向器により等角速度的に偏向させ、偏向光束を走査結像光学系により被走査面上に光スポットとして集光して上記被走査面の等速的な光走査を行う光走査装置において、
走査結像光学系の少なくとも一部として、請求項５または６または７または８または９記載の光走査用レンズを搭載したことを特徴とする光走査装置。
【請求項１２】
請求項１０または１１記載の光走査装置において、
光走査用レンズが走査結像光学系を構成することを特徴とする光走査装置。
【請求項１３】
感光媒体の感光面に光走査装置による光走査を行って潜像を形成し、上記潜像を可視化して画像を得る画像形成装置であって、
感光媒体の感光面の光走査を行う光走査装置として、請求項１０または１１または１２記載の光走査装置を用いたことを特徴とする画像形成装置。
【請求項１４】
請求項１３記載の画像形成装置において、
感光媒体が光導電性の感光体であり、感光面の均一帯電と光走査装置の光走査とにより形成される静電潜像が、トナー画像として可視化されることを特徴とする画像形成装置。
【手続補正２】
【補正対象書類名】明細書
【補正対象項目名】００１６
【補正方法】変更
【補正の内容】
【００１６】
ここで、図２（ｃ）に示すようにｘ方向、ｙ方向を設定し、図面に直交する方向にｚ方向を設定する。ｙ方向は「光軸方向」、ｘ方向は「副走査方向」、従ってｚ方向は「主走査方向」になる。  
主走査方向の任意の位置：ｚにおいて副走査断面を考え、この副走査断面内における各位置（ｘ，ｙ）における２次元の絶対屈折率：ｎをｎ(ｘ，ｙ)と表す。  
この絶対屈折率：ｎ(ｘ，ｙ)の「ｙ軸方向」の平均を、ｘ軸方向におけるレンズの肉厚をｄ(ｘ）として、
演算：［∫ｎ(ｘ，ｙ)ｄｙ］／ｄ(ｘ）
で定義する。積分は「レンズの肉厚：ｄ(ｘ)」にわたって行う。  
上記演算の結果に対し「適当な基準値」を設定し、この設置値と上記演算結果との差を取ると、上記「光軸と副走査方向に平行なｘｙ断面における２次元の絶対屈折率の値をｙ軸方向に平均化し、ｘ軸方向に対する１次元の相対屈折率として表現したもの」が得られる。これが屈折率分布：Δｎ(ｘ)である。  
図２（ｅ）に示されているのは、この屈折率分布：Δｎ(ｘ)である。  
なお、図２の（ｂ）は、演算：［∫ｎ(ｙ，ｚ)ｄｙ］／ｄ(ｚ)（ｄ(ｚ)は主走査方向の「光束の通過する領域の長さ」）の結果に対して、上記と同様の操作を加えたものを示しており、（ｄ）は演算：［∫ｎ(ｘ，ｙ)ｄｘ］／ｄ(ｙ)（ｄ(ｙ)はレンズ厚さ）の結果に対し、上記と同様の操作を加えたものを示している。  
図２（ｅ）に示す如く、図２の光走査用レンズ１の屈折率分布：Δｎ(ｘ)には極大が無い。この点で、光走査用レンズ１は「この発明の光走査用レンズ」とは異なるのである。